(57)【要約】【課題】  従来の粘着ローラーが有する問題点を解消して、携帯に便利であり、低コストで製造可能な埃取り具を提供する。【解決手段】  衣類などの表面に付着した埃を粘着面に粘着させて取り去る埃取り具に於いて、ベース部材の一側の面に粘着面を形成し、この粘着層の上に使用時に剥離することによって粘着面を露出させ得るような剥離シートを形成すると共に、前記ベース部材に手でベース部材をしっかりと保持出来るようにするための薄手の保持手段を設けて成る埃取り具とする。保持手段は薄手に形成されているため、取り回しが楽で、埃取り具の全体は衣類などの対象物に対して密着させ易く、その薄さ故に収納や携帯に都合が良い。また製造コストが安い。更に新たな広告媒体としての利用が可能である。【選択図】図１
2010179068.tif 000002
【特許請求の範囲】
【請求項１】
衣類などの表面に付着した埃を粘着面に粘着させて取り去る埃取り具に於いて、ベース部材の一側の面に粘着面を形成し、この粘着層の上に使用時に剥離することによって粘着面を露出させ得るような剥離シートを形成すると共に、前記ベース部材に手でベース部材をしっかりと保持出来るようにするための薄手の保持手段を設けて成ることを特徴とする、埃取り具。
【請求項２】
前記保持手段が、ベース部材の他側に形成された粘着面と、この粘着面の上に使用時には剥離して粘着面で掌に粘着固定するための剥離シートとから成る、請求項１に記載の埃取り具。
【請求項３】
前記ベース部材にこれを略中央の位置で二つに山折りするための少なくとも目安としての山折り線が設けられており、この山折り線の両側に略平行して谷折りするための少なくとも目安としての谷折り線が設けられている、請求項１に記載の埃取り具。
【請求項４】
前記保持手段が、ベース部材の他側に形成された指を挿入するためのバンドであって、このバンドは使用前は潰されているものである、請求項１に記載の埃取り具。
【請求項５】
前記ベース部材の他側の面が剥離シートと成ると共に、ベース部材が中空状に捲回されてベース部材の一側の粘着面が他側の剥離シートに粘着した状態で全体が薄手に形成されており、前記薄い中空状の部分が指を挿入するための挿入部と成って前記保持手段を構成している、請求項１に記載の埃取り具。
【請求項６】
埃取り具の複数枚が一つの薄手のケースに納められて成る、請求項１に記載の埃取り具。
【請求項７】
前記ベース部材の他側の面に剥離面が形成されて前記剥離シートを兼ねて成る複数枚が、重ね合わされて粘着しており、この重合体の前記剥離面に裏表紙が設けられており、前記粘着面に、剥離面を設けた表紙が剥離面側で粘着しており、この表紙は、使用時には前記粘着面から剥離して裏表紙に折り重なると共に指を挿入するための切り込みが設けられて、前記保持手段を構成している、請求項１に記載の埃取り具。
【請求項８】
前記ベース部材の他側の面に剥離面が形成されて前記剥離シートを兼ねて成る複数枚が、重ね合わされて粘着しており、この重合体の一番上の粘着面に剥離シートが掛けられており、前記ベース部材に指を挿入するための切り込みが設けられて前記保持手段を構成している、請求項１に記載の埃取り具。
【発明の詳細な説明】
【技術分野】
【０００１】  この発明は、衣類などの表面に付着した埃やペットの毛などを粘着面に粘着させて取り去る埃取り具に係り、特に使い捨てが出来て携帯にも便利であり、宣伝用の景品としても広く利用し得るような、簡易な埃取り具に関する。
【背景技術】
【０００２】  従来より粘着シートをハンドルの付いたローラーに捲いた粘着ローラーが用いられて来た。ハンドルを持ってローラー面を転がすことにより、このローラー面の粘着性を利用して、衣類の埃取り、テーブルのパンくず取り、ソファーに付着したペットの毛の除去などを行うことが出来る。埃が取れれば取れるほど粘着面の粘着力は弱まるが、この面を一回りだけ剥離して除去し、新たな粘着面を露出させることによって粘着力が回復する。なお粘着ローラーには小さなハンドルが付いたものや、床掃除用の長い柄が付いたものなどがある。
【特許文献１】特になし
【発明の開示】
【発明が解決しようとする課題】
【０００３】  粘着面は極めて効果的に埃を除去してくれるため実に便利な道具ではあるが、次のような問題点も有している。すなわち粘着ローラーは円筒形であるために嵩張ってしまい携帯には不向きである。またバッグなどで持ち運ぶには粘着ローラーの粘着面を保護するためのカバーを閉じたりケースに収納する必要があり、このカバーやケースの分だけサイズが大きくなると言う問題もある。また回転部分があり、ハンドルや長い柄を取り付けるだけの強度や使用上の強度が必要であるため、製造コストが高くつく欠点がある。【０００４】  従ってこの発明では、上述したような問題点を解決して、携帯に便利であり低コストで製造可能な埃取り具を提供することを課題とする。なおこれが可能となれば、現在は配布用の安価な広告媒体としてティッシュペーパーが主流であるところ、このような埃取り具を新たな広告媒体として提供することも可能になる。
【課題を解決するための手段】
【０００５】  上記課題は、衣類などの表面に付着した埃を粘着面に粘着させて取り去る埃取り具に於いて、ベース部材の一側の面に粘着面を形成し、この粘着層の上に使用時に剥離することによって粘着面を露出させ得るような剥離シートを形成すると共に、前記ベース部材に手でベース部材をしっかりと保持出来るようにするための薄手の保持手段を設けて成る埃取り具とすることによって達成される。【０００６】  この発明の埃取り具によれば、剥離シートをベース部材から剥離することにより粘着面を容易に露出させて機能させることが出来る。また保持手段によって手でしっかりと保持することが出来、埃を粘着面に粘着させる作業を安定的に行うことが可能となっている。しかも保持手段は薄手に形成されているために、取り回しが容易で埃取り具の全体は衣類などの対象物に対して密着させ易く、またその薄さ故に収納や携帯に都合が良い。またこの発明の埃取り具は製造コストが比較的安くつく。従って新たな広告媒体としての利用を可能にしている点でも優れた発明となっている。【０００７】  次に、前記保持手段が、ベース部材の他側に形成された粘着面と、この粘着面の上に、使用時には剥離して粘着面で掌に粘着固定するための、剥離シートとから成るものとすることが出来る。ベース部材の前記他側にある剥離シートを剥離すると粘着面が露出して来るため、これを以てベース部材を掌に粘着固定させることが出来る。掌に薄いベース部材を直接的に接着させるため、衣類などの対象物に粘着する時の感触を掌で直に感じることが出来て操作性が良好である。使用手順としては先ずこの剥離シートを剥離して掌に粘着させ、続けてベース部材の前記一側の面にある剥離シートを剥離して、埃を取る粘着面を露出させるようにするのである。なおこのようなシート状の埃取り具の複数枚を１セットとして提供すると良い。これは以下に述べる埃取り具に於いても同様である。【０００８】  次に、前記ベース部材にこれを略中央の位置で二つに山折りするための少なくとも目安としての山折り線が設けられており、この山折り線の両側に略平行して谷折りするための少なくとも目安としての谷折り線が設けられているものとすることが出来る。ベース部材を前記山折り線と谷折り線で折曲げると、すなわち山折り線から左右共に９０度ずつ、且つ左右の谷折り線から共に９０度ずつ折曲げると、略中央の位置に人差し指と中指とで挟み付けることが可能な挟み付け片が、対象物に粘着させるベース部材の面に対して略９０度に立ち上がって形成される。従ってこの挟み付け片を人差し指と中指とで挟み付け、残りの親指と、薬指及び小指とによって、ベース部材の粘着面を衣類などの対象物に押し当てる際の細やかな操作を行うことが出来る。山折り線や谷折り線は目安として印刷などしておけば良いのであるが、これを実際の折り目として癖を付けておいたものとしても良い。【０００９】  なおこの請求項３の発明に請求項２の発明を適用して保持手段とすることが可能である。すなわちベース部材の他側の左右の谷折り線の間の面に粘着面を形成し、この粘着面の上に、使用時には剥離して現われた粘着面で人差し指と中指とに粘着固定するための、剥離シートを設けるのである。【００１０】  次に、前記保持手段が、ベース部材の他側に形成された指を挿入するためのバンドであって、このバンドは使用前は潰されているものとすることが出来る。輪状のバンドには数本の指を挿入することで、ベース部材を掌に固定させることが出来る。またこのような埃取り具の複数枚が重ねられた状態として提供されるものでは、このバンドは潰れてベース部材の他側の面に密着したような状態となっている。従って収納や携帯に都合が良い薄さを実現し得る。何れにせよ使用時にはこの潰れた状態のバンドに指を通すことで自然に立ち上がる。【００１１】  次に、前記ベース部材の他側の面が剥離シートと成ると共に、ベース部材が中空状に捲回されてベース部材の一側の粘着面が他側の剥離シートに粘着した状態で全体が薄手に形成されており、前記薄い中空状の部分が指を挿入するための挿入部と成って前記保持手段を構成しているものとすることが出来る。ベース部材が巻かれた状態は、外側となる粘着面が直に露出しているものの、その内側では一側の粘着面が他側の剥離シートに粘着して粘着面が保護されている状態である。従って外側の粘着面を使用して埃を付着させることにより粘着面の粘着性が弱まったり無くなったりしたら、この部分をベース部材を一巻き巻き戻して切り取ることで、新たな粘着面を表にすることが出来る。【００１２】  ベース部材が中空状に捲回された状態と言うと円筒形状を想像するが、ここでは薄手に形成したものとする必要がある。この最も簡易なものとして円筒形に捲回したものをそのまま潰して成るものを上げる。これにより所望の携帯性や収納性を得ることが出来る。また円筒形状のものの場合よりもこれを潰して成るものの場合の方が、ベース部材の表側となる部分に印刷を施した時に印刷部のカーブが緩くなるため、印刷が見易くなると言う利点があり、新たな広告媒体としての利用にも有利である。なおベース部材の一巻き毎に切り離しを容易にするためのミシン目などを入れることが好ましい。なおこの埃取り具は全体が薄手に形成されているため、複数枚を１セットとして提供することが可能である。【００１３】  次に、埃取り具の複数枚が一つの薄手のケースに納められて成るものとすることが出来る。請求項２乃至請求項４の埃取り具はシート状のものであるから、この複数枚を纒めて薄手のケースに納めると携帯や収納に便利である。また請求項５の埃取り具では、外側となる一巻きは粘着面が直に露出しているため、この面を覆う剥離紙か収納袋などのケースが必要である。またこのものも薄手に作られているため、この複数枚を一つの薄手のケースに納めることが可能である。なおこのようなケースは広告媒体としても活用し得る。【００１４】  次に、前記ベース部材の他側の面に剥離面が形成されて前記剥離シートを兼ねて成る複数枚が、重ね合わされて粘着しており、この重合体の前記剥離面に裏表紙が設けられており、前記粘着面に、剥離面を設けた表紙が剥離面側で粘着しており、この表紙は、使用時には前記粘着面から剥離されて裏表紙に折り重なると共に指を挿入するための切り込みが設けられて、前記保持手段を構成しているものとすることが出来る。このものは全体としてブック形式であり、シート状の埃取り具の複数枚が、隣合う粘着面���剥離面とで接着して重合体を形成しており、この外側に表紙と裏表紙とが設けられている。特に表紙は、その裏面が剥離面となっており（前記剥離シートを兼ねている）、この剥離面が前記重合体の一番上の粘着面を保護する役目を担っている。従ってこの一番上のシート状の埃取り具が使用されて粘着力の効果が無くなったら、これを剥して次のシート状の埃取り具の粘着面を露出させてこの面を一番上の新たな粘着面とするが、この粘着面も前記表紙が保護することに成る。なお表紙に付いては、表紙と裏表紙とがあれば足るのであるが、これに書籍のように背を付けても良い。背のない場合では裏表紙は一番下のシート状の埃取り具に接着しているが、背がある場合ではこの背に前記重合体を綴じておく役割を担わせる構成が可能である。なおシート状の埃取り具を１枚１枚剥離し易いものとするために、ベース部材には粘着面が形成されていないタブ（剥離案内片）の部分を設けておくことなども好ましい。【００１５】  この請求項に係る保持手段は表紙と裏表紙とによるものであり、表紙を前記重合体の一番上の粘着面から剥離して裏表紙に折り重ね、この状態で両側の書籍で言えば小口に当る箇所を親指と薬指及び小指で握り、人差し指及び中指を表紙の前記切り込みから重ね合わせた裏表紙の方へ入れることによって、この埃取り具の全体が掌中にしっかりと固定し安定する。【００１６】  次に、前記ベース部材の他側の面に剥離面が形成されて前記剥離シートを兼ねて成る複数枚が、重ね合わされて粘着して重合体を形成しており、この重合体の一番上の粘着面に剥離シートが掛けられており、前記ベース部材に指を挿入するための切り込みが設けられて前記保持手段を構成しているものとすることが出来る。最初に一番上の剥離シート（これはベースとなるものではなく粘着面を覆うことだけが目的の専用のシートである）を剥した後は、上側のベース部材が下側のベース部材の粘着面に対する剥離シートとなる。こうして一番上のベース部材を下側のベース部材から剥離して、この１枚のベース部材の剥離面側から前記切り込みを通して粘着面側に、例えば人差し指と中指とを入れて、この人差し指と中指の背を粘着面に粘着させてベース部材に固定して安定させるのである。そして残りの親指と薬指とによって、ベース部材の粘着面を衣類などの対象物に押し当てる操作を行うのである。当該粘着面で、指が粘着した部分を埃取りに使うことは出来ないにしても、この他の広い部分で十分に埃を取ることが出来るわけである。切り込みの部分に指を差し入れる点では、上述したブック形式の埃取りの表紙の切り込みに指を差し入れるのと類似する。
【発明の効果】
【００１７】  この発明の埃取り具によれば、全体が薄く形成されているため携帯に便利であり、また保持手段を含めた全体の構造が簡単なものであるため低コストで製造することが出来る。なおこの埃取り具を新たな広告媒体として提供することも可能である。
【発明を実施するための最良の形態】
【００１８】  以下ではこの発明の６種の実施形態を図面を参照しつつ説明するが、この発明はこれ等の実施形態にのみ限定されるものではない。【００１９】  第１実施形態
図１はこの実施形態の埃取り具を表し、図２はこの埃取り具の複数枚をケース４に収納した状態を表す。埃取り具はベース紙１の一側の面に粘着層２を形成し、この粘着層２を覆うようにして剥離紙２０を設けると共に、ベース紙１の他側の面の中央部分に帯状に粘着層３を形成して、この粘着層３の上に剥離紙３０を設けて成るものである。すなわち前記粘着層３と剥離紙３０とによって保持手段とした（図１）。なお前記剥離紙２０には一側の角に図２に示したように斜めに切込線２１が入っている。このような埃取り具の複数枚をケース４に収納するのであるが、このケース４にはフラップ４０が設けられており、このフラップ４０の先部にある差込片４１をケース４の相対する箇所に設けたスリット４２に差し込むことによりケースを閉じることが出来るようになっている（図２）。埃取り具もケース４も薄いものであるために携帯や収納が楽である。【００２０】  この実施形態では、前記粘着層３と剥離紙３０とによって、前記ベース紙１を手でしっかりと保持出来るようにするための薄手の保持手段としている。これを使用するには、先ず剥離紙３０を剥して粘着層３を露出させて、この粘着層３を以て掌に粘着固定させる。この状態でベース紙１は手と一体になっている。続いて剥離紙２０を剥すのであるが、この際に図２で示すように、剥離紙２０を剥し易くするために設けた切込線２１のところから剥離するようにする。剥離紙２０を取り去ると粘着層２が現われる。そこで掌で埃を取るような仕草で衣類の埃やテーブルのパンくずやソファーに付いたペットの毛などを押えるようにすると、それ等は粘着層２によって引っ付き取られてしまうのである。なお吸着力が落ちて来たら使い捨てにすれば良い。【００２１】  なおケース４に印刷を施すことが出来るだけでなく、一枚一枚のベース紙１や剥離紙３０にも印刷することが可能である。するとこの部分を宣伝・広告に利用出来る。これは従来のティッシュペーパーに替わり得る極めて重要な販促媒体となり得る。【００２２】  第２実施形態
図３でこの実施形態の埃取り具を表す。このものはベース紙１０の一側の面に粘着層２が形成されており、この粘着層２を覆うようにして剥離紙２０が付着されている。またベース紙１０の他側の面の中央部分はつまみ１３が形成し得るように構成されている。すなわちベース紙１０の中央部分に山折線１１が設けられていると共に、この山折り線１１の両側に略平行して谷折線１２，１２が設けられている。山折線１１も谷折り線１２も単に目安としてのラインを付けただけのものであっても良いが、この実施形態では実際にプレスによって折り癖を付けている。なおこのものは１枚ずつ個別に包装して提供するものであるが、上述した第１実施形態のようにケースにこの実施形態の埃取り具の複数枚を納めたものとして提供することも可能である。【００２３】  その使用法であるが、前記山折り線１１及びこの両側の谷折線１２，１２からその通りに折り、つまみ１３を起こしてから前記剥離紙２０を剥すようにする。この状態でつまみ１３を人差し指と中指とで挟み付けると掌と一体化するようになる。すなわちつまみ１３はベース紙１０をしっかりと保持出来るようにするための保持手段であり、そもそもはベース紙１０なのであるから、その薄さに付いては言うまでもない。一方、前記剥離紙２０を剥したことで粘着層２０が露出しているため、掌で埃を取るような仕草で埃を押えるだけで簡単に除去することが出来る。【００２４】  第３実施形態
この実施形態の埃取り具を図４を用いて説明する。ベース紙１４の一側の面に粘着層２を形成し、この粘着層２を覆うようにして剥離紙２０を設け、ベース紙１４の他側の面に、手を挿入し得る空間５３が得られる程度の大きさのバンド５をその両側の接着部５０で接着して固定して成る。なおこのバンド５には山折り線５１と谷折線５２とが設けられており、使用前ではこの山折り線５１と谷折線５２とから折られて、バンド５はベース紙１４の他側の面に密着した状態となっている。従ってこの埃取り具の全体はとても薄いものである。【００２５】  この埃取り具の使用に際しては、先ずバンド５を矢線で示すように持ち上げて空間５３を作り、ここに手を差し入れてベース紙１４を掌に一体化させ、その後に前記剥離紙２０を剥して粘着層２を露出させるようにすれば良い。【００２６】  第４実施形態
図５でこの実施形態の埃取り具を示す。このものは一側の面が粘着面６２となっており、他側の面が剥離面６１となっているベース紙６０を、粘着面６２が外側となるようにして潰れた形に捲回して成る粘着ロール６であり、全体は薄手に形成されており、潰れた両側に相当する部位にミシン目６３を設けて成るものである。【００２７】  ベース紙６０は捲回されて、自己の粘着面６２で剥離面６１に粘着しているため、巻き解くようにして剥離することが出来、半巻き毎のミシン目６３の部位で切り取ることが可能である。従って図５の矢線で表したように、ベース紙６０を半巻きだけ巻き解くと新たな粘着面６２が現われるため、これを以て例えば衣類に付着した埃を除去することが出来る。この際に、ベース紙６０を捲回して形成される粘着ロール６の中心部分の空間６４に指先を入れて、粘着ロール６を掌に一体化させるのであり、空間６４の構成はこの発明の前記保持手段であると言うことが出来る。【００２８】  第５実施形態
図６はこの実施形態の埃取り具を表し、図７は図６の埃取り具の天地を返した使用時の状態を表す。このものは請求項７の実施例であり、複数枚の埃取り具を重ね合わせた重合体に表紙と裏表紙とを付けてブック形式としたものであって、表紙と裏表紙とで前記の保持手段を構成している点に特徴を有する。一側の面に粘着層２が形成されていると共に他側の面が剥離面とされている（剥離シートを兼ねている）ベース紙１５の複数枚が、重ね合わされて粘着して重合体を形成している。この際に図６で右端の部位は粘着層２が形成されておらず、さらにその外側にはタブ１６が設けられている。この重合体の一番外側の（図６で下側の）剥離面には裏表紙７２が設けられており、重合体の一番外側の（図６で上側の）粘着層２には、剥離面７０が設けられた表紙７が剥離面７０側で粘着しており、表紙７と裏表紙７２とはタブ１６の側で背７３により連結されて、全体はブック状となっている。なお前記表紙７は、使用時には前記粘着層２から剥離されて背７３で折り返され裏表紙７２に折り重なると共に、指を挿入するためのスリット７１を備えている。図７はこの状態を図６の天地を返して表したものである。【００２９】  さて、図７の状態にした後で前記スリット７１に人差し指と中指とを挿入し、両側の書籍で言えば小口に当る箇所を親指と薬指で握ると、この埃取り具の全体が掌中でしっかりと固定して安定する。図７で下側の面は粘着層２であるから、ここで埃を押えるだけで簡単に埃を除去することが出来る。埃取りの機能が弱まって来たら、右側のタブ１６に指先を掛けてこのベース紙１５を剥離することにより、次のベース紙１５の新しい粘着層２を露出させることが出来る。なお上述したようにタブ１６に続いて粘着層２が形成されていない部位を設けたが、これはタブ１６を引いた時にこのベース紙が次のベース紙から剥離し易くなるようにするための工夫である。【００３０】  なお表紙７にスリット７１を設けずに、このスリットの機能と同じ機能を実現するためのスリットを前記重合体の各々のベース紙１５の側に設けたものとすることが可能である。一番上のベース紙１５を重合体から剥離したらこのスリットに人差し指と中指とを挿入して使用することになる。しかしながらこの一枚一枚のベース紙１５は薄くて腰があまりないものであるため、スリットに人差し指と中指とを挿入するのが幾分難しい。これを問題視するのであれば、次の第６実施形態を以てこの解決手段とする。【００３１】  第６実施形態
この実施形態の埃取り具を図８の部分切欠平面図を用いて説明する。部分切欠の箇所は図８の左端部であり、一番上のベース紙８の一部分が取り去られてその下側の粘着層２が、またこの部位の粘着層２の一部分が取り去られてその下側の剥離紙２０が見えている。すなわちベース部材としてのベース紙８の一側の面に粘着面を形成するための粘着層２を設け、この粘着層２の上に、使用時に剥離することによって粘着層２を露出させ得るような剥離シートとしての剥離紙２０を設けると共に、ベース紙８に指を挿入するための切り込みであるスリット８０を設けてベース紙８しっかりと保持出来るようにするための薄手の保持手段として成る埃取り具である。なお前記スリット８０の部分及びここから延長するラインに相当する剥離紙２０の部位に切込線２２が入っている。【００３２】  このような埃取り具を個包装するなり、その複数枚を一つのケースに入れるなりして提供することが出来る。この使用法であるが、一例として先ず図８で前記切込線２２より上側の剥離紙２０を剥した後、スリット８０から人差し指や薬指を或いはその両方を差し入れるようにすると、指の背が粘着層２に粘着して指とこの埃取り具とが一体化する。この間ベース紙８は切込線２２より下側の剥離紙２０の存在によって腰を保っている。続いて切込線２２より下側の剥離紙２０を剥して、残りの左右の指でベース紙８を押えるようにして衣類の上などを押えるようにすると、容易に埃が取れる。なお先にスリット８０に指を差し入れてから上側及び下側の剥離紙２０を剥離するようにしても良い。
【産業上の利用可能性】
【００３３】  この発明の埃取り具は埃や毛などを取るためばかりでなく、ステッカーを剥した後に残った粘着剤を取るためのものとして提供することが出来る。また図６を用いて説明した第５実施形態の構成からスリット７１を省いたものは、粘着力を有してノート等に剥離可能に粘着する付箋紙やメモ帳（登録商標ポストイット）の構成に適用し得る。
【図面の簡単な説明】
【００３４】
【図１】  第１実施形態の斜視図である。
【図２】  同実施形態の収納状態を表わす説明図である。
【図３】  第２実施形態の使用状態を表わす説明図である。
【図４】  第３実施形態の使用状態を表わす説明図である。
【図５】  第４実施形態の使用状態を表わす説明図である。
【図６】  第５実施形態の側面図である。
【図７】  同実施形態の使用状態を表わす説明図である。
【図８】  第６実施形態の部分切欠平面図である。
【符号の説明】
【００３５】１    ベース紙
１０  ベース紙
１１  山折線
１２  谷折線
１３  つまみ
１４  ベース紙
１５  ベース紙
１６  タブ
２    粘着層
２０  剥離紙
２１  切込線
２２  切込線
２３  指接着部
３    粘着層
３０  剥離紙
４    ケース
４０  フラップ
４１  差込片
４２  スリット
５    バンド
５０  接着部
５１  山折線
５２  谷折線
５３  空間
６    粘着ロール
６０  ベース紙
６１  剥離面
６２  粘着面
６３  ミシン目
６４  空間
７    表紙
７０  剥離面
７１  スリット
７２  裏表紙
７３  背
８    ベース紙
８０  スリット
【図１】
2010179068.tif 000003
【図２】
2010179068.tif 000004
【図３】
2010179068.tif 000005
【図４】
2010179068.tif 000006
【図５】
2010179068.tif 000007
【図６】
2010179068.tif 000008
【図７】
2010179068.tif 000009
【図８】
2010179068.tif 000010